(57)【要約】      （修正有）【課題】スプールバルブの軸方向の位置を把握する精度を向上できるバルブ装置を提供する。【解決手段】軸方向に延びる中心軸に沿って配置される第１部分３２、および第１部分から軸方向一方側に延びる第２部分３３を有するスプールバルブ３０と、オイルが流れる油路１０ａ、および少なくとも軸方向一方側に開口して軸方向に延び、内部にスプールバルブが軸方向に移動可能に配置されるスプール穴２３を有する油路ボディ２０と、スプールバルブに固定されるマグネット５０と、油路ボディに取り付けられ、マグネットの磁界を検出する磁気センサ４１と、スプール穴内において第１部分の軸方向一方側に配置され、第１部分に軸方向他方側向きの弾性力を加える弾性部材７０と、油路ボディに取り付けられ、スプール穴内において弾性部材の軸方向一方側の端部を支持する支持部材７１と、を備える。【選択図】図３
2019100401.tif 000002
【特許請求の範囲】
【請求項１】
軸方向に延びる中心軸に沿って配置される第１部分、および前記第１部分から軸方向一方側に延びる第２部分を有するスプールバルブと、
オイルが流れる油路、および少なくとも軸方向一方側に開口して軸方向に延び、内部に前記スプールバルブが軸方向に移動可能に配置されるスプール穴を有する油路ボディと、
前記スプールバルブに固定されるマグネットと、
前記油路ボディに取り付けられ、前記マグネットの磁界を検出する磁気センサと、
前記スプール穴内において前記第１部分の軸方向一方側に配置され、前記第１部分に軸方向他方側向きの弾性力を加える弾性部材と、
前記油路ボディに取り付けられ、前記スプール穴内において前記弾性部材の軸方向一方側の端部を支持する支持部材と、
を備え、
前記第２部分は、前記支持部材と前記中心軸の周方向に対向し前記支持部材と接触可能な対向部を有する、バルブ装置。
【請求項２】
前記支持部材は、軸方向と交差する方向に延びて前記スプール穴の内部を貫通し、軸方向に沿って視て、前記中心軸と重なる、請求項１に記載のバルブ装置。
【請求項３】
前記弾性部材は、内側に前記第２部分が通されるコイルスプリングである、請求項１または２に記載のバルブ装置。
【請求項４】
前記対向部は、前記中心軸の径方向と直交する平坦な面である、請求項１から３のいずれか一項に記載のバルブ装置。
【請求項５】
前記第２部分は、軸方向に沿って視て、前記対向部が弦に相当する半円形状である、請求項４に記載のバルブ装置。
【請求項６】
前記支持部材は、軸方向と交差する方向に延びる円柱状であり、前記支持部材の軸周りに回転可能である、請求項１から５のいずれか一項に記載のバルブ装置。
【請求項７】
前記支持部材は、前記支持部材を軸方向に貫通するスリットを有し、
前記第２部分は、前記スリットに通される板状である、請求項１から５のいずれか一項に記載のバルブ装置。
【請求項８】
前記弾性部材は、コイルスプリングであり、
前記第１部分は、前記第１部分における軸方向一方側の端部から軸方向他方側に窪む凹部を有し、
前記弾性部材の少なくとも一部は、前記凹部内に配置される、請求項１から７のいずれか一項に記載のバルブ装置。
【請求項９】
前記支持部材は、軸方向と交差する上下方向に延び、
前記油路ボディは、
下部ボディと、
前記下部ボディの上側に重ねて配置される上部ボディと、
を有し、
前記スプール穴は、前記上部ボディに設けられ、
前記上部ボディは、前記上部ボディの下側の面から前記スプール穴の内周面まで上下方向に延びる貫通孔を有し、
前記支持部材は、前記貫通孔に通され、
前記貫通孔は、
前記上部ボディの下側の面から上側に窪み、底面を有する大径部と、
前記大径部の底面から前記スプール穴の内周面まで延び、前記大径部よりも内径が小さい小径部と、
を有し、
前記支持部材は、前記大径部の底面の下側に対向して配置される部分を有する、請求項１から８のいずれか一項に記載のバルブ装置。
【発明の詳細な説明】
【技術分野】
【０００１】
本発明は、バルブ装置に関する。
【背景技術】
【０００２】
油路ボディに設けられたスプールバルブが知られている。例えば、特許文献１には、オイルポンプの吐出量切替装置に設けられたスプールバルブが記載されている。
【先行技術文献】
【特許文献】
【０００３】
【特許文献１】特開２０１６−１８３５７９号公報
【発明の概要】
【発明が解決しようとする課題】
【０００４】
上記のようなスプールバルブにおいては、スプールバルブにマグネットを取り付け、磁気センサによってマグネットの磁界を検出することでスプールバルブの軸方向の位置を検出する場合がある。しかし、この場合、スプールバルブが軸周りに回転すると、スプールバルブとともにマグネットが回転するため、磁気センサによって検出されるマグネットによる磁界が変化する場合がある。これにより、実際にはスプールバルブの軸方向の位置が変化していない場合であっても、磁気センサによって検出されるスプールバルブの位置情報が変化し、スプールバルブの軸方向の位置を精度よく把握できない場合があった。
【０００５】
本発明は、上記事情に鑑みて、スプールバルブの軸方向の位置を把握する精度を向上できるバルブ装置を提供することを目的の一つとする。
【課題を解決するための手段】
【０００６】
本発明のバルブ装置の一つの態様は、軸方向に延びる中心軸に沿って配置される第１部分、および前記第１部分から軸方向一方側に延びる第２部分を有するスプールバルブと、オイルが流れる油路、および少なくとも軸方向一方側に開口して軸方向に延び、内部に前記スプールバルブが軸方向に移動可能に配置されるスプール穴を有する油路ボディと、前記スプールバルブに固定されるマグネットと、前記油路ボディに取り付けられ、前記マグネットの磁界を検出する磁気センサと、前記スプール穴内において前記第１部分の軸方向一方側に配置され、前記第１部分に軸方向他方側向きの弾性力を加える弾性部材と、前記油路ボディに取り付けられ、前記スプール穴内において前記弾性部材の軸方向一方側の端部を支持する支持部材と、を備える。前記第２部分は、前記支持部材と前記中心軸の周方向に対向し前記支持部材と接触可能な対向部を有する。
【発明の効果】
【０００７】
本発明の一つの態様によれば、スプールバルブの軸方向の位置を把握する精度を向上できるバルブ装置が提供される。
【図面の簡単な説明】
【０００８】
【図１】図１は、第１実施形態のバルブ装置の一部を示す斜視図である。
【図２】図２は、第１実施形態のバルブ装置の一部を示す分解斜視図である。
【図３】図３は、第１実施形態のバルブ装置の一部を示す図であって、図１におけるIII−III断面図である。
【図４】図４は、第１実施形態のバルブ装置の一部を示す図であって、図１におけるIV−IV断面図である。
【図５】図５は、第１実施形態における変形例のバルブ装置の一部を示す断面図である。
【図６】図６は、第２実施形態のバルブ装置の一部を示す斜視図である。
【発明を実施するための形態】
【０００９】
各図においてＺ軸方向は、上下方向Ｚとする。Ｘ軸方向は、上下方向Ｚと直交する水平方向のうちの左右方向Ｘとする。Ｙ軸方向は、上下方向Ｚと直交する水平方向のうち左右方向Ｘと直交する軸方向Ｙとする。上下方向Ｚのうちの正の側を「上側」と呼び、負の側を「下側」と呼ぶ。軸方向Ｙのうちの正の側を「前側」と呼び、負の側を「後側」と呼ぶ。前側は、軸方向一方側に相当し、後側には、軸方向他方側に相当する。なお、上側、下側、前側、後側、上下方向、および左右方向とは、単に各部の相対位置関係を説明するための名称であり、実際の配置関係等は、これらの名称で示される配置関係等以外の配置関係等であってもよい。
【００１０】
＜第１実施形態＞
図１および図２に示す本実施形態のバルブ装置１０は、例えば、車両に搭載されるコントロールバルブである。バルブ装置１０は、油路ボディ２０と、スプールバルブ３０と、マグネット５０と、センサモジュール４０と、弾性部材７０と、支持部材７１と、を備える。
【００１１】
図３に示すように、油路ボディ２０は、オイルが流れる油路１０ａを内部に有する。図３において指し示す油路１０ａの部分は、後述するスプール穴２３の一部である。各図においては、例えば、油路ボディ２０の一部を切り出した状態を示す。図１に示すように、油路ボディ２０は、下部ボディ２１と、上部ボディ２２と、を有する。図示は省略するが、油路１０ａは、例えば、下部ボディ２１と上部ボディ２２との両方に設けられる。
【００１２】
下部ボディ２１は、下部ボディ本体２１ａと、下部ボディ本体２１ａの上側に重ねて配置されるセパレートプレート２１ｂと、を有する。本実施形態において下部ボディ２１の上面は、セパレートプレート２１ｂの上面に相当し、上下方向Ｚと直交する。上部ボディ２２は、下部ボディ２１の上側に重ねて配置される。上部ボディ２２の下面は、上下方向Ｚと直交する。上部ボディ２２の下面は、下部ボディ２１の上面、すなわちセパレートプレート２１ｂの上面と接触する。
【００１３】
図３に示すように、上部ボディ２２は、軸方向Ｙに延びるスプール穴２３を有する。本実施形態においてスプール穴２３の軸方向Ｙと直交する断面形状は、中心軸Ｊを中心とする円形状である。中心軸Ｊは、軸方向Ｙに延びる。なお、中心軸Ｊを中心とする径方向を単に「径方向」と呼び、中心軸Ｊを中心とする周方向を単に「周方向」と呼ぶ。
【００１４】
スプール穴２３は、少なくとも前側に開口する。本実施形態においてスプール穴２３の後端は、閉塞される。すなわち、スプール穴２３は、前側に開口し底部を有する穴である。なお、スプール穴２３は、例えば、軸方向Ｙの両側に開口してもよい。スプール穴２３の少なくとも一部は、油路ボディ２０内の油路１０ａの一部を構成する。
【００１５】
スプール穴２３は、スプール穴本体２３ａと、導入穴部２３ｂと、を有する。図示は省略するが、スプール穴本体２３ａの内周面には、油路ボディ２０のうちスプール穴２３以外の部分に設けられる油路１０ａが開口する。導入穴部２３ｂの内径は、スプール穴本体２３ａの内径よりも大きい。導入穴部２３ｂは、スプール穴本体２３ａの前側の端部に繋がる。導入穴部２３ｂは、スプール穴２３の前側の端部であり、前側に開口する。
【００１６】
上部ボディ２２は、上部ボディ２２の前側の端部に、貫通孔２２ａ，２２ｂを有する。貫通孔２２ａは、上部ボディ２２における上部ボディ２２の上面から導入穴部２３ｂの内周面までの部分を上下方向Ｚに貫通する。貫通孔２２ｂは、上部ボディ２２における上部ボディ２２の下面から導入穴部２３ｂの内周面までの部分を上下方向Ｚに貫通する。すなわち、貫通孔２２ｂは、上部ボディ２２の下側の面からスプール穴２３の内周面まで上下方向Ｚに延びる貫通孔に相当する。図２に示すように、貫通孔２２ａおよび貫通孔２２ｂは、上側から視て円形状である。貫通孔２２ａと貫通孔２２ｂとは、上側から視て互いに重なり合う。
【００１７】
図３に示すように、貫通孔２２ｂは、大径部２２ｃと、小径部２２ｄと、を有する。大径部２２ｃは、上部ボディ２２の下側の面から上側に窪み、底面２２ｅを有する部分である。底面２２ｅは、下側を向き、上下方向Ｚと直交する面である。小径部２２ｄは、底面２２ｅからスプール穴２３の内周面まで延び、大径部２２ｃよりも内径が小さい部分である。
【００１８】
図１に示すように、上部ボディ２２におけるスプール穴２３が設けられる部分は、上部ボディ２２の他の部分よりも上側に突出する。この突出する部分のうち前側の端部における上面は、上側に凸となる半円弧状の曲面である。貫通孔２２ａは、この半円弧状の曲面の上端部に開口する。下部ボディ本体２１ａとセパレートプレート２１ｂと上部ボディ２２とは、例えば、それぞれ単一の部材である。下部ボディ本体２１ａとセパレートプレート２１ｂと上部ボディ２２とは、非磁性体製である。
【００１９】
図３に示すように、スプールバルブ３０は、上下方向Ｚと交差する軸方向Ｙに延びる。スプールバルブ３０は、油路ボディ２０に取り付けられる。スプールバルブ３０は、スプール穴２３の内部に軸方向Ｙに移動可能に配置される。本実施形態においてスプールバルブ３０は、例えば、金属製の単一の部材である。スプールバルブ３０は、スプールバルブ本体部３１と、マグネット固定部３２と、突出部３３と、を有する。
【００２０】
スプールバルブ本体部３１は、スプール穴本体２３ａ内を軸方向Ｙに移動して、スプール穴本体２３ａの内周面に開口する油路１０ａの開口部を開閉する。図示は省略するが、スプールバルブ本体部３１の後側の端部には、オイルの油圧あるいはソレノイドアクチュエータ等の駆動装置から前側向きの力が加えられる。スプールバルブ本体部３１は、複数の大径部３１ａと、複数の小径部３１ｂと、を有する。スプールバルブ３０の各部は、中心軸Ｊを中心として軸方向Ｙに延びる円柱状である。
【００２１】
複数の大径部３１ａと複数の小径部３１ｂとは、マグネット固定部３２の後側の端部に繋がる大径部３１ａから後側に向かって交互に連続して配置される。大径部３１ａの外径は、小径部３１ｂの外径よりも大きい。大径部３１ａの外径は、スプール穴本体２３ａの内径とほぼ同じであり、スプール穴本体２３ａの内径よりも僅かに小さい。大径部３１ａは、スプール穴本体２３ａの内周面に対して滑りながら軸方向Ｙに移動可能である。大径部３１ａは、スプール穴本体２３ａの内周面に開口する油路１０ａの開口部を開閉する弁部として機能する。
【００２２】
マグネット固定部３２は、スプールバルブ本体部３１の軸方向Ｙの端部に繋がる。より詳細には、マグネット固定部３２の後側の端部は、複数の大径部３１ａのうち最も前側に配置される大径部３１ａの前側の端部に繋がる。マグネット固定部３２は、導入穴部２３ｂの内部に、軸方向Ｙに移動可能に配置される。マグネット固定部３２の外径は、大径部３１ａの外径よりも大きい。マグネット固定部３２の外径は、導入穴部２３ｂの内径とほぼ同じであり、導入穴部２３ｂの内径よりも僅かに小さい。
【００２３】
マグネット固定部３２は、導入穴部２３ｂの内周面に対して滑りながら軸方向Ｙに移動可能である。すなわち、マグネット固定部３２は、スプール穴２３の内周面に対して滑りながら軸方向Ｙに移動可能な滑り部を有する。本実施形態において滑り部は、マグネット固定部３２全体である。マグネット固定部３２の後側の面のうち径方向外縁部は、スプール穴本体２３ａと導入穴部２３ｂとの間に生じる段差における前側を向く段差面に、接触可能である。これにより、スプールバルブ３０が図３に示すマグネット固定部３２と段差面とが接触する位置から後側に移動することを抑制でき、スプールバルブ３０の最後端位置を決めることができる。
【００２４】
マグネット固定部３２は、マグネット固定部３２の外周面から径方向内側に窪む第１凹部３２ａを有する。上述したように、本実施形態では、マグネット固定部３２全体が滑り部に相当するため、第１凹部３２ａは、滑り部の外周面から径方向内側に窪む。図３では、第１凹部３２ａは、マグネット固定部３２の上端部から下側に窪む。第１凹部３２ａの内側面は、軸方向Ｙに対向する一対の面を含む。
【００２５】
図２に示すように、突出部３３は、マグネット固定部３２から前側に延びる。突出部３３は、中心軸Ｊよりも左右方向一方側に配置される。突出部３３は、軸方向Ｙに延び、左右方向一方側に凸となる半円柱状である。すなわち、突出部３３は、軸方向Ｙに沿って視て、左右方向一方側に凸となる半円形状である。図２では、左右方向一方側は、Ｘ軸の正の側である。
【００２６】
なお、本明細書において「半円形状」とは、円形の一部を直線で切断した形状、すなわち弧と弦とから構成される形状であればよく、弧の中心角が１８０°以外の角度となる形状であってもよい。本実施形態の突出部３３を軸方向Ｙに沿って視た形状において、弧の中心角は、１８０°よりも小さい。
【００２７】
突出部３３は、マグネット固定部３２の外周面よりも径方向内側に配置される。図４に示すように、突出部３３の側面は、導入穴部２３ｂの内周面よりも径方向内側に離れて配置される。図３に示すように、突出部３３の前側の端部は、貫通孔２２ａ，２２ｂよりも前側に配置される。突出部３３は、支持部材７１の左右方向一方側を通って、支持部材７１よりも前側に突出する。
【００２８】
図２に示すように、突出部３３は、中心軸Ｊの径方向と直交する平坦な面である対向部３４を有する。対向部３４は、マグネット固定部３２の前側の端面から前側に延びる。対向部３４は、軸方向Ｙに長い長方形状の面である。対向部３４は、突出部３３の左右方向Ｘの側面のうち中心軸Ｊ側の側面である。図２では、対向部３４は、突出部３３におけるＸ軸の負の側の側面である。図４に示すように、対向部３４は、導入穴部２３ｂの内周面と径方向に隙間を介して対向する。対向部３４は、突出部３３を軸方向Ｙに沿って視た半円形状において、弦に相当する。
【００２９】
本実施形態においてスプールバルブ本体部３１とマグネット固定部３２とを合わせた部分は、軸方向Ｙに延びる中心軸Ｊに沿って配置される第１部分に相当する。突出部３３は、第１部分から軸方向一方側、すなわち前側に延びる第２部分に相当する。
【００３０】
図２に示すように、マグネット５０は、略直方体状である。マグネット５０の上面は、例えば、周方向に沿って円弧状に湾曲する面である。図３に示すように、マグネット５０は、第１凹部３２ａ内に収容されて、マグネット固定部３２に固定される。これにより、マグネット５０は、スプールバルブ３０に固定される。マグネット５０は、例えば、接着剤により固定される。マグネット５０の径方向外側面は、例えば、マグネット固定部３２の外周面よりも径方向内側に位置する。マグネット５０の径方向外側面は、導入穴部２３ｂの内周面と径方向に隙間を介して対向する。
【００３１】
上述したように、第１凹部３２ａが設けられるマグネット固定部３２はスプール穴２３の内周面に対して滑りながら移動する滑り部である。そのため、マグネット固定部３２の外周面とスプール穴２３の内周面とは、接触する、あるいは僅かな隙間を介して対向する。これにより、第１凹部３２ａ内にはオイルに含まれる金属片等の異物が入り込みにくい。したがって、第１凹部３２ａに収容されるマグネット５０に、オイルに含まれる金属片等の異物が付着することを抑制できる。
【００３２】
センサモジュール４０は、筐体４２と、磁気センサ４１と、を有する。すなわち、バルブ装置１０は、筐体４２と、磁気センサ４１と、を備える。筐体４２は、磁気センサ４１を収容する。図１に示すように、筐体４２は、例えば、上下方向Ｚに扁平の直方体箱状である。筐体４２は、上部ボディ２２の上面のうち、貫通孔２２ａが設けられる半円弧状の曲面の後側に位置する平坦面に固定される。
【００３３】
図３に示すように、磁気センサ４１は、筐体４２の内部において筐体４２の底面に固定される。これにより、筐体４２を介して、磁気センサ４１は、油路ボディ２０に取り付けられる。磁気センサ４１は、マグネット５０の磁界を検出する。磁気センサ４１は、例えば、ホール素子である。なお、磁気センサ４１は、磁気抵抗素子であってもよい。
【００３４】
スプールバルブ３０の軸方向Ｙの移動に伴って、マグネット５０の軸方向Ｙの位置が変化すると、磁気センサ４１を通るマグネット５０の磁界が変化する。そのため、磁気センサ４１によってマグネット５０の磁界の変化を検出することで、マグネット５０の軸方向Ｙの位置、すなわちスプールバルブ３０の軸方向Ｙの位置を検出することができる。
【００３５】
磁気センサ４１とマグネット５０とは、上下方向Ｚに重なる。すなわち、マグネット５０の少なくとも一部は、磁気センサ４１と、径方向のうちの上下方向Ｚと平行な方向に重なる。そのため、マグネット５０の磁界を磁気センサ４１によって検出しやすい。したがって、センサモジュール４０によって、スプールバルブ３０の軸方向Ｙの変位をより精度よく検出できる。
【００３６】
なお、本明細書において「マグネットの少なくとも一部が磁気センサと径方向に重なる」とは、マグネットが直接的に固定されたスプールバルブが軸方向に移動する範囲内の少なくとも一部の位置において、マグネットの少なくとも一部が磁気センサと径方向に重なればよい。すなわち、例えば、スプールバルブ３０が図３の位置から軸方向Ｙに変位した際に、マグネット５０が磁気センサ４１と上下方向Ｚに重ならなくなってもよい。本実施形態では、マグネット５０は、スプールバルブ３０が軸方向Ｙに移動する範囲内であれば、いずれの位置においても、一部が磁気センサ４１と上下方向Ｚに重なる。
【００３７】
図２に示すように、支持部材７１は、軸方向Ｙと交差する方向に延びる円柱状である。本実施形態において支持部材７１は、軸方向Ｙと直交する上下方向Ｚに延びる。図３に示すように、支持部材７１は、油路ボディ２０に取り付けられる。支持部材７１は、貫通孔２２ｂに通される。支持部材７１は、延伸部７１ａと、引掛け部７１ｂと、を有する。
【００３８】
延伸部７１ａは、上下方向Ｚに延びる。図１および図３に示すように、延伸部７１ａは、貫通孔２２ｂを介して導入穴部２３ｂの内部に挿入される。延伸部７１ａの上端部は、貫通孔２２ａに挿入される。これにより、支持部材７１は、軸方向Ｙと交差する方向に延びてスプール穴２３の内部を貫通する。延伸部７１ａは、導入穴部２３ｂの前側の開口の一部を塞ぐ。
【００３９】
引掛け部７１ｂは、延伸部７１ａの下端に繋がる。引掛け部７１ｂは、支持部材７１の下側の端部である。引掛け部７１ｂの外径は、延伸部７１ａの外径よりも大きい。引掛け部７１ｂの外径は、小径部２２ｄの内径よりも大きい。図３および図４に示すように、引掛け部７１ｂは、大径部２２ｃに挿入される。引掛け部７１ｂは、底面２２ｅの下側に対向して配置される部分である。これにより、引掛け部７１ｂが上側に移動することを抑制できる。
【００４０】
図３に示すように、支持部材７１は、弾性部材７０の前側に配置される。これにより、支持部材７１は、スプール穴２３内において弾性部材７０の前側の端部を支持する。図４に示すように、支持部材７１は、軸方向Ｙに沿って視て、中心軸Ｊと重なる。そのため、支持部材７１によって、弾性部材７０の中心を支持することができ、弾性部材７０を安定して支持できる。また、上述したように支持部材７１はスプール穴２３の内部を貫通するため、支持部材７１のうち弾性部材７０を支持する部分を径方向に大きくできる。これにより、弾性部材７０をより安定して支持できる。本実施形態では、支持部材７１のうち延伸部７１ａが、軸方向Ｙに沿って視て、中心軸Ｊと重なる。本実施形態において支持部材７１の左右方向Ｘの中心は、導入穴部２３ｂの左右方向Ｘの中心と同じ位置に配置される。
【００４１】
図３に示すように、支持部材７１は、弾性部材７０から前側向きの弾性力を受け、延伸部７１ａが貫通孔２２ａ，２２ｂの内周面のうち前側の部分に押し付けられる。支持部材７１は、支持部材７１の軸周りに回転可能である。本実施形態において支持部材７１の軸は、上下方向Ｚに延びる。
【００４２】
本実施形態において支持部材７１は、上部ボディ２２と下部ボディ２１とを重ね合わせる前に、上部ボディ２２の下面に開口する貫通孔２２ｂの開口部から、貫通孔２２ｂおよび導入穴部２３ｂを介して貫通孔２２ａまで挿入される。そして、上部ボディ２２と下部ボディ２１とが上下方向Ｚに積層されて組み合わされることで、大径部２２ｃに挿入された引掛け部７１ｂが下部ボディ２１の上面によって下側から支持される。これにより、支持部材７１を油路ボディ２０に対して取り付けることができる。
【００４３】
このように本実施形態によれば、貫通孔２２ｂが上部ボディ２２の下側の面に設けられるため、貫通孔２２ｂに通した支持部材７１を、下部ボディ２１によって下側から支持でき、支持部材７１が下側に移動することを抑制できる。また、引掛け部７１ｂが底面２２ｅの下側に対向して配置されるため、支持部材７１が上側に移動することを抑制できる。したがって、支持部材７１が上下方向Ｚに移動して、油路ボディ２０から外れることを抑制できる。
【００４４】
弾性部材７０は、軸方向Ｙに延びるコイルスプリングである。弾性部材７０は、スプール穴２３内においてマグネット固定部３２の前側、すなわちスプールバルブ３０における第１部分の前側に配置される。弾性部材７０の内側には、突出部３３が通される。そのため、突出部３３によって弾性部材７０を内側から支持することができる。これにより、弾性部材７０が径方向に移動して位置がずれることを抑制できる。
【００４５】
弾性部材７０の後側の端部は、マグネット固定部３２の前側の端面に接触する。弾性部材７０の前側の端部は、支持部材７１と接触する。より詳細には、弾性部材７０の前側の端部は、延伸部７１ａと接触する。
【００４６】
弾性部材７０の前側の端部が支持部材７１に支持されることで、弾性部材７０は、スプールバルブ３０のうちの第１部分に後側向きの弾性力を加える。そのため、例えば、スプールバルブ３０の後側の端部に加えられるオイルの油圧あるいはソレノイドアクチュエータ等の駆動装置から加えられる力と、弾性部材７０の弾性力とが釣り合う位置に、スプールバルブ３０の軸方向Ｙの位置を維持することができる。これにより、スプールバルブ３０の後側の端部に加えられる力を変化させることで、スプールバルブ３０の軸方向Ｙの位置を変化させることができ、油路ボディ２０の内部の油路１０ａの開閉を切り換えることができる。
【００４７】
本実施形態において支持部材７１は、弾性部材７０を前側から支持する部材として機能するだけでなく、スプールバルブ３０の回転止め部材としても機能する。図４に示すように、支持部材７１と対向部３４とは周方向に対向する。本明細書において「ある２つの部分が周方向に対向する」とは、ある２つの部分の両方が周方向に沿った１つの仮想円上に位置し、かつ、互いに対向することを含む。支持部材７１と対向部３４とは、互いに接触可能である。すなわち、対向部３４は、支持部材７１と中心軸Ｊの周方向に対向し支持部材７１と接触可能である。
【００４８】
そのため、本実施形態によれば、例えば、対向部３４が中心軸Ｊ周りに回転しようとした場合、対向部３４は支持部材７１と接触する。これにより、支持部材７１によって対向部３４の回転が抑制され、スプールバルブ３０が中心軸Ｊ周りに回転することが抑制される。したがって、スプールバルブ３０に固定されるマグネット５０の位置が周方向にずれることを抑制できる。そのため、スプールバルブ３０の軸方向Ｙの位置が変化していない場合に、磁気センサ４１によって検出されるスプールバルブ３０の位置情報が変化することを抑制できる。これにより、スプールバルブ３０の軸方向Ｙの位置を把握する精度を向上できる。なお、図４においては、対向部３４は、対向部３４の上端部から対向部３４の下端部までにおいて支持部材７１と線接触する。
【００４９】
また、弾性部材７０の前側の端部を支持する支持部材７１によって、スプールバルブ３０の回転を抑制できるため、別途回転止め部材を設ける必要がない。これにより、バルブ装置１０の部品点数が増加することを抑制しつつ、スプールバルブ３０の回転を抑制することができる。
【００５０】
また、本実施形態によれば、対向部３４は、中心軸Ｊの径方向と直交する平坦な面である。そのため、対向部３４を作りやすい。また、本実施形態によれば、突出部３３は、軸方向Ｙに沿って視て、対向部３４が弦に相当する半円形状である。そのため、円柱状のスプールバルブ３０の一部を切り欠く加工を施すことで、より容易に対向部３４を作ることができる。
【００５１】
また、本実施形態によれば、マグネット５０は、スプールバルブ本体部３１の軸方向Ｙの端部に繋がるマグネット固定部３２に固定される。そのため、スプールバルブ３０のうち、スプール穴２３の内周面に開口する油路１０ａの開口部を開閉する部分、すなわちスプールバルブ本体部３１以外の部分にマグネット５０を設けることができる。したがって、例えば本実施形態のように、マグネット固定部３２の外径をスプールバルブ本体部３１の外径よりも大きくすることで、マグネット固定部３２に固定されるマグネット５０をより径方向外側に配置しやすい。これにより、マグネット５０を磁気センサ４１に近づけて配置しやすく、磁気センサ４１によるスプールバルブ３０の位置検出精度を向上できる。
【００５２】
また、本実施形態によれば、支持部材７１は、支持部材７１の軸周りに回転可能である。そのため、スプールバルブ３０が軸方向Ｙに移動することで、対向部３４と接触する支持部材７１は、支持部材７１の軸周りに回転する。これにより、対向部３４と支持部材７１とが擦れることを抑制でき、スプールバルブ３０の軸方向Ｙの移動が阻害されることを抑制できる。
【００５３】
本実施形態のバルブ装置１０を組み立てる際、作業者は、まずスプール穴２３にスプールバルブ３０を挿入する。作業者は、弾性部材７０を突出部３３に通してスプール穴２３内に配置した後、支持部材７１を上部ボディ２２の下面から貫通孔２２ａ，２２ｂに挿入して、弾性部材７０を前側から押さえる。このとき、支持部材７１は、弾性部材７０から前側向きの力を受けて、貫通孔２２ａ，２２ｂの内周面に押し付けられるため、貫通孔２２ａ，２２ｂから下側に抜け落ちることが抑制される。ここで、本実施形態によれば、支持部材７１の他に上部ボディ２２の下面から挿入する部材がない。そのため、上部ボディ２２の下面を下側に向けた状態であっても、部品が下側に抜け落ちることを抑制できる。これにより、バルブ装置１０を組み立てる際に、油路ボディ２０を上下方向Ｚに逆転させる等の手間がなく、バルブ装置１０の組み立てを容易にできる。その後、作業者は、上部ボディ２２を下部ボディ２１の上側に重ね合わせる。このようにして、作業者は、バルブ装置１０を組み立てる。
【００５４】
（変形例）
図５に示すように、本変形例のバルブ装置１１０においてスプールバルブ１３０のうちの第１部分は、第１部分における前側の端部から後側に窪む第２凹部１３５を有する。スプールバルブ１３０のうちの第１部分は、スプールバルブ本体部３１とマグネット固定部３２とを合わせた部分である。第２凹部１３５は、第１部分における軸方向一方側の端部から軸方向他方側に窪む凹部に相当する。第２凹部１３５は、マグネット固定部３２の前側の端部から後側に窪み、スプールバルブ本体部３１まで延びる。図示は省略するが、第２凹部１３５の内縁は、前側から視て中心軸Ｊを中心とする円形状である。
【００５５】
弾性部材１７０の少なくとも一部は、第２凹部１３５内に配置される。そのため、弾性部材１７０の少なくとも一部をスプールバルブ１３０の第１部分と径方向に重ねることができ、バルブ装置１１０の軸方向Ｙの寸法を小型化しやすい。本変形例では、弾性部材１７０の後側の部分が、第２凹部１３５内に配置される。弾性部材１７０の後側の端部は、第２凹部１３５の底面に接触する。
【００５６】
突出部１３３は、対向部１３４から左右方向一方側に窪む第３凹部１３３ａを有する。第３凹部１３３ａは、軸方向Ｙに延びる。第３凹部１３３ａは、突出部１３３の前側の端部から突出部１３３の後側の端部まで延びる。これにより、対向部１３４は、第３凹部１３３ａによって上下方向Ｚに分断される。図示は省略するが、第３凹部１３３ａの内側面は、軸方向Ｙに沿って視て、円弧状であり、第２凹部１３５の内周面と重なる。第３凹部１３３ａには、弾性部材１７０の前側の端部のうち左右方向一方側の部分が挿入される。
【００５７】
＜第２実施形態＞
図６に示すように、本実施形態のバルブ装置２１０において、スプールバルブ２３０の突出部２３３は、軸方向Ｙに延びる板状である。突出部２３３の板面は、左右方向Ｘと直交する。突出部２３３は、マグネット固定部３２の左右方向Ｘの中心から前側に延びる。突出部２３３の左右方向両側の面は、それぞれ対向部２３４である。
【００５８】
支持部材２７１は、板面が左右方向Ｘと平行な板状である。支持部材２７１は、延伸部２７１ａと、引掛け部２７１ｂと、を有する。延伸部２７１ａは、上下方向Ｚに延びる。延伸部２７１ａは、前側から視て上下方向Ｚに長い長方形状である。延伸部２７１ａの板面は、軸方向Ｙと直交する。引掛け部２７１ｂは、延伸部２７１ａの下側の端部から前側に屈曲する。引掛け部２７１ｂは、貫通孔２２ｂの大径部２２ｃに挿入される。
【００５９】
支持部材２７１は、支持部材２７１を軸方向Ｙに貫通するスリット２７１ｃを有する。スリット２７１ｃは、延伸部２７１ａを軸方向Ｙに貫通する。スリット２７１ｃは、上下方向Ｚに延びる。スリット２７１ｃは、上側に開口する。スリット２７１ｃが設けられることで、延伸部２７１ａの上側部分は、二股に分かれる。これにより、支持部材２７１には、上下方向Ｚに延び、左右方向Ｘに隙間を介して対向する一対の柱部２７１ｄが設けられる。
【００６０】
スリット２７１ｃには、第２部分としての突出部２３３が通される。これにより、一対の柱部２７１ｄが対向部２３４と対向し、スプールバルブ２３０の回転が抑制される。また、スリット２７１ｃの左右方向両側面によって、突出部２３３の対向部２３４を支持することができる。これにより、スプールバルブ２３０が左右方向Ｘにずれることを抑制でき、スプールバルブ２３０の軸方向Ｙの移動を安定化させることができる。
【００６１】
本発明は上述の実施形態に限られず、他の構成を採用することもできる。対向部の構成は、支持部材と周方向に対向し支持部材と接触可能であれば、特に限定されない。対向部は、曲面であってもよい。第２部分としての突出部の形状は、対向部を有するならば、特に限定されない。第２部分としての突出部は、複数設けられてもよい。支持部材は、軸方向と交差する方向のうち、軸方向と直交する方向以外の方向に延びてもよい。
【００６２】
また、マグネットの構成は、特に限定されない。マグネットは、例えば、円環状でスプールバルブに嵌め合わされてもよい。マグネットは、複数のマグネットが組み合わされて構成されてもよい。また、磁気センサによってマグネットの磁界を検出できるならば、磁気センサとマグネットとは径方向に重ならなくてもよい。
【００６３】
また、上述の実施形態では、油路ボディが有するスプール穴は、上部ボディに設けられる構成としたが、これに限られない。スプール穴は、下部ボディに設けられてもよい。セパレートプレートは設けられなくてもよい。油路ボディは、上部ボディと下部ボディとに分かれていなくてもよい。また、中心軸Ｊが延びる軸方向は、上下方向Ｚと直交せずに交差してもよいし、上下方向Ｚと平行であってもよい。
【００６４】
また、油路ボディは、油路ボディ本体と、油路ボディ本体と別部材であり、油路ボディ本体に取り付けられるセンサ取付部材と、を有してもよい。センサ取付部材には、磁気センサ４１が取り付けられる。センサ取付部材は、例えば、上述した上部ボディ２２のうち、センサモジュール４０が固定される前側の部分である。すなわち、上述した上部ボディ２２の前側の部分は、別部材として構成されて、油路ボディ本体に取り付けられてもよい。この構成において油路ボディ本体は、上部ボディ２２のうちのセンサ取付部材以外の部分と、下部ボディ２１と、を有する。この構成においてスプール穴２３は、油路ボディ本体とセンサ取付部材とに跨って設けられる。この場合、導入穴部２３ｂは、センサ取付部材に設けられる。そのため、スプール穴２３のうちセンサ取付部材に設けられた部分の内部には、マグネット５０が収容される。この構成によれば、センサ取付部材を交換することのみによって、マグネット５０が収容される導入穴部２３ｂの構成を容易に変更することができる。
【００６５】
また、上述した実施形態のバルブ装置の用途は、特に限定されず、車両以外に搭載されてもよい。また、上記の各構成は、相互に矛盾しない範囲内において、適宜組み合わせることができる。
【符号の説明】
【００６６】
１０，１１０，２１０…バルブ装置、１０ａ…油路、２０…油路ボディ、２１…下部ボディ、２２…上部ボディ、２２ｂ…貫通孔、２２ｃ…大径部、２２ｄ…小径部、２２ｅ…底面、２３…スプール穴、３０，１３０，２３０…スプールバルブ、３１…スプールバルブ本体部（第１部分）、３２…マグネット固定部（第１部分）、３３，２３３…突出部（第２部分）、３４，１３４，２３４…対向部、４１…磁気センサ、５０…マグネット、７０，１７０…弾性部材、７１，２７１…支持部材、１３５…第２凹部（凹部）、２７１ｃ…スリット、Ｊ…中心軸、Ｙ…軸方向、Ｚ…上下方向
【図１】
2019100401.tif 000003
【図２】
2019100401.tif 000004
【図３】
2019100401.tif 000005
【図４】
2019100401.tif 000006
【図５】
2019100401.tif 000007
【図６】
2019100401.tif 000008